(57)【要約】  伝送速度を向上させる端末装置、無線通信装置、無線通信システム及び無線通信方法を提供する。ＵＥ１は、通信制御部１６、セル選択制御部１１１、セキュリティ制御部１２１を有する。通信制御部１６は、ＵＥ１のセキュリティ情報に応じた複数のｇＮＢに関する第１の情報をＡＭＦから受信する。セル選択制御部１１１は、第１の情報を基に複数のｇＮＢの中から接続するｇＮＢを選択する。セキュリティ制御部１２１は、選択したｇＮＢに対して無線接続を再開するための第２の情報を送信する。
2020121455.tif 000002
【特許請求の範囲】
【請求項１】
基地局のセキュリティに関する第１の情報を無線通信装置から受信する受信部と、
前記基地局から接続する基地局を選択する選択部と、
選択した前記基地局に対して無線接続を再開するための第２の情報を送信する無線接続管理部と
を備えたことを特徴とする端末装置。
【請求項２】
前記第１の情報は、前記端末装置が対応可能なセキュリティアルゴリズムに対応可能な基地局を選択するための情報であることを特徴とする請求項１に記載の端末装置。
【請求項３】
前記受信部は、着信時に前記第１の情報を前記無線通信装置から受信することを特徴とする請求項１に記載の端末装置。
【請求項４】
前記無線接続管理部は、位置登録情報の更新を前記無線通信装置へ要求し、
前記受信部は、前記無線接続管理部による位置登録情報の更新の要求への応答として前記第１の情報を受信することを特徴とする請求項１に記載の端末装置。
【請求項５】
端末装置から前記端末装置のセキュリティ情報を受信する情報受信部と、
前記セキュリティ情報に含まれるセキュリティアルゴリズムに対応可能な基地局に関する第１の情報を生成し、生成した前記第１の情報を前記端末装置へ送信する情報管理部と
を備えたことを特徴とする無線通信装置。
【請求項６】
端末装置、無線通信装置及び複数の基地局を有する無線通信システムであって、
前記端末装置は、
前記端末装置のセキュリティ情報に含まれるセキュリティアルゴリズムに対応可能な基地局に関する第１の情報を前記無線通信装置から受信する受信部と、
前記基地局の中から接続する基地局を選択する選択部と、
選択した前記基地局に対して無線接続を再開するための第２の情報を送信する無線接続管理部とを備え、
前記無線通信装置は、
前記端末装置のセキュリティ情報を受信し、前記第１の情報を生成し、生成した前記第１の情報を前記端末装置へ送信する情報管理部とを備え、
前記基地局は、
前記第２の情報を前記端末装置から受信し、前記端末装置との接続を確立する接続制御部を備えた
ことを特徴とする無線通信システム。
【請求項７】
端末装置、無線通信装置及び複数の基地局における無線通信方法であって、
前記端末装置に、前記端末装置のセキュリティ情報を前記無線通信装置に対して送信させ、
前記無線通信装置に、前記端末装置から取得した前記端末装置のセキュリティ情報に含まれるセキュリティアルゴリズムに対応可能な基地局に関する第１の情報を生成させ、前記端末装置に対して送信させ、
前記端末装置に、前記無線通信装置から通信された前記第１の情報を受信させ、前記第１の情報を基に前記基地局から接続する接続基地局を選択させ、前記接続基地局に対して無線接続を再開するための第２の情報を送信させ、
前記接続基地局に、前記第２の情報を取得させ、前記端末装置のセキュリティ情報に応じて前記端末装置との接続を確立させる
ことを特徴とする無線通信方法。
【発明の詳細な説明】
【技術分野】
【０００１】
本発明は、端末装置、無線通信装置、無線通信システム及び無線通信方法に関する。
【背景技術】
【０００２】
ＬＴＥ（Long  Term  Evolution）において、端末装置（User  Equipment：ＵＥ）と基地局（evolved  Node-B：ｅＮＢ）との間で、信号の完全性保証及び暗号化が行われる。端末装置とｅＮＢとの間の無線通信において、Ｃ（Control）−Ｐｌａｎｅ信号及びＵ（User）−Ｐｌａｎｅ信号それぞれの完全性保証及び暗号化に使用する鍵は、ＵＥ及びｅＮＢのそれぞれで管理される。【０００３】
ここで、信号の完全性保証及び暗号化のためのセキュリティアルゴリズムは、ＵＥ及びｅＮＢの両方で使用可能なアルゴリズムが使用される。以下では、セキュリティアルゴリズムを単にアルゴリズムと言う場合がある。ＬＴＥで使用されるアルゴリズムにはＳＮＯＷ  ３Ｇ、ＡＳＥ（Advanced  Encryption  Standard）、ＺＵＣなどがある。【０００４】
ＬＥＴにおけるＵＥとｅＮＢとの間のセキュリティに関する処理は、以下のように実行される。初回接続時に、ＵＥは、自装置が使用可能なアルゴリズムをUE  Security  CapabilityとしてＭＭＥ（Mobility  Management  Entity）へ送信する。ＭＭＥは、取得したUE  Security  CapabilityをｅＮＢへ送信する。【０００５】
また、Ｘ２ハンドオーバにより接続する基地局を切替える場合、セキュリティに関する処理は以下のように実行される。ここでは、第１ｅＮＢ及び第２ｅＮＢという２つのｅＮＢが存在する場合で説明する。第１ｅＮＢに接続中のＵＥが在圏エリアを移動して、第２ｅＮＢと接続する場合、ＵＥは使用可能な１つ又は複数のアルゴリズムをUE  Security  Capabilityとして第２ｅＮＢに送信する。UE  Security  Capabilityを受信した第２ｅＮＢは、アルゴリズムを選択してＵＥと無線接続を確立する。この時、ＵＥが使用可能なアルゴリズムに第２ｅＮＢが対応していない場合、第２ｅＮＢは、ＵＥとの接続の確立に失敗する。【０００６】
また、５Ｇ（Generation）と呼ばれる第５世代移動通信システムでは、超高信頼性低遅延通信であるＵＲＬＬＣ（Ultra-Reliable  and  Low  Latency  Communications）などを活用した、ＬＥＴ以上に多種多様なサービスが提供されることが想定される。加えて、より安全性の高いサービスを実現するために、信号の完全性保証及び暗号化に使用するアルゴリズムについてもサービス毎に異なることが想定される。さらには、サービスの多様化によって、新たなアルゴリズムが追加される可能性もある。例えば、各ｇＮＢが特定のサービスに使用され、ｇＮＢ毎に使用可能なアルゴリズムが異なる運用が想定される。【０００７】
５Ｇにおいて、ＲＲＣ（Radio  Resource  Control）の状態としてＲＲＣ＿ｉｎａｃｔｉｖｅという状態がある。これは、セキュリティなどのＡＳ（Access  Stratum）情報を含むＡＳコンテキストと上位回線を保持しつつ、基地局と端末装置と間の無線回線（Wireless  Channel）が切断されている状態であり、無線回線については従来のＲＲＣ＿ｉｄｌｅと同等の状態である。ただし、この場合の端末装置は、基地局がＡＳコンテキストを保持することで、ＲＲＣ＿ｉｄｅｌ（待ち受け状態）からＲＲＣ＿ｃｏｎｎｅｃｔｉｏｎ（接続状態）へ移行する場合と異なり、上位回線設定を実施せずにＲＲＣ−ｉｎａｃｔｉｖｅ（無線回線断かつ上位回線接続状態）からＲＲＣ＿ｃｏｎｎｅｃｔｉｏｎへ移行することができる。すなわち、ＲＲＣ＿ｉｎａｃｔｉｖｅを用いることで、手順及び信号数を削減でき、ユーザデータの伝送を開始するまでの時間を短くすることができる。さらには、低消費電力化も可能である。なお、ＲＲＣ＿ｉｎａｃｔｉｖｅでは、従来のトラッキングエリア（ＴＡ：Tracking  Area）よりも狭いＲＡＮ（Radio  Access  Network）エリアにおける位置登録が実施される。なお、トラッキングエリア及びＲＡＮエリアを位置登録エリアと呼ぶことがある。【０００８】
ここで、位置登録エリアの更新には、ＴＡＵ（Tracking  Area  Update）とＲＡＵ（RAN  Area  Update）という２つの更新手順が存在する。ＴＡＵは、着呼（着信）に際して端末装置の在圏エリアを基地局に把握させるために、端末が、周期的（定期的）に在圏エリアをネットワークに報告する処理にあたる。また、ＲＡＵは、ＲＲＣ＿ｉｎａｃｔｉｖｅの状態で、端末装置が、ＴＡよりも狭いＲＡＮエリアで、周期的に位置登録を実施する処理にあたる。上述したように、端末装置は、ＲＲＣ−ｉｎａｃｔｉｖｅからＲＲＣ＿ｃｏｎｎｅｃｔｉｏｎへ移行する際に、ＲＡを利用する。【０００９】
なお、無線通信のセキュリティに関する技術として、移動元基地局が、端末装置から受信したセキュリティ能力の情報を基に、移動先基地局との通信の可否を判定して、移動先基地局との通信に用いるセキュリティ鍵の情報を端末装置へ送信する従来技術がある。また、端末装置が別ネットワークへのハンドオーバ時にネットワークから対応セキュリティアルゴリズムのリストの配信を受けて、セキュリティアルゴリズムを選択する従来技術がある。
【先行技術文献】
【特許文献】
【００１０】
【特許文献１】国際公開第２０１８／０７９６９２号
【特許文献２】特表２０１２−５３１７９２号公報
【非特許文献】
【００１１】
【非特許文献１】3GPP  TS  23.501  V15.3.0（2018-09）
【非特許文献２】3GPP  TS  36.211  V15.2.0（2018-06）
【非特許文献３】3GPP  TS  36.212  V15.2.1（2018-07）
【非特許文献４】3GPP  TS  36.213  V15.2.0（2018-06）
【非特許文献５】3GPP  TS  36.300  V15.2.0（2018-06）
【非特許文献６】3GPP  TS  36.321  V15.2.0（2018-07）
【非特許文献７】3GPP  TS  36.322  V15.1.0（2018-07）
【非特許文献８】3GPP  TS  36.323  V15.0.0（2018-07）
【非特許文献９】3GPP  TS  36.331  V15.2.2（2018-06）
【非特許文献１０】3GPP  TS  36.413  V15.2.0（2018-06）
【非特許文献１１】3GPP  TS  36.423  V15.2.0（2018-06）
【非特許文献１２】3GPP  TS  36.425  V15.0.0（2018-06）
【非特許文献１３】3GPP  TS  37.340  V15.2.0（2018-06）
【非特許文献１４】3GPP  TS  38.201  V15.0.0（2017-12）
【非特許文献１５】3GPP  TS  38.202  V15.2.0（2018-06）
【非特許文献１６】3GPP  TS  38.211  V15.2.0（2018-06）
【非特許文献１７】3GPP  TS  38.212  V15.2.0（2018-06）
【非特許文献１８】3GPP  TS  38.213  V15.2.0（2018-06）
【非特許文献１９】3GPP  TS  38.214  V15.2.0（2018-06）
【非特許文献２０】3GPP  TS  38.215  V15.2.0（2018-06）
【非特許文献２１】3GPP  TS  38.300  V15.2.0（2018-06）
【非特許文献２２】3GPP  TS  38.321  V15.2.0（2018-06）
【非特許文献２３】3GPP  TS  38.322  V15.2.0（2018-06）
【非特許文献２４】3GPP  TS  38.323  V15.2.0（2018-06）
【非特許文献２５】3GPP  TS  38.331  V15.2.1（2018-06）
【非特許文献２６】3GPP  TS  38.401  V15.2.0（2018-06）
【非特許文献２７】3GPP  TS  38.410  V15.0.0（2018-06）
【非特許文献２８】3GPP  TS  38.413  V15.0.0（2018-06）
【非特許文献２９】3GPP  TS  38.420  V15.0.0（2018-06）
【非特許文献３０】3GPP  TS  38.423  V15.0.0（2018-06）
【非特許文献３１】3GPP  TS  38.470  V15.2.0（2018-06）
【非特許文献３２】3GPP  TS  38.473  V15.2.1（2018-07）
【非特許文献３３】3GPP  TR  38.801  V14.0.0（2017-03）
【非特許文献３４】3GPP  TR  38.802  V14.2.0（2017-09）
【非特許文献３５】3GPP  TR  38.803  V14.2.0（2017-09）
【非特許文献３６】3GPP  TR  38.804  V14.0.0（2017-03）
【非特許文献３７】3GPP  TR  38.900  V15.0.0（2018-06）
【非特許文献３８】3GPP  TR  38.912  V15.0.0（2018-06）
【非特許文献３９】3GPP  TR  38.913  V15.0.0（2018-06）
【発明の概要】
【発明が解決しようとする課題】
【００１２】
しかしながら、ある基地局（ｇＮＢ）に接続中の端末（ＵＥ）が、ＲＲＣ＿ｉｎａｃｔｉｖｅの状態となった後に、ＵＥが在圏移動した（エリア間で移動した）場合、移動先で接続するｇＮＢと移動前に接続していたｇＮＢとで使用可能なアルゴリズムが異なることが考えられる。この場合、ＲＲＣ＿ｉｎａｃｔｉｖｅの状態からＲＲＣ＿ｃｏｎｎｅｃｔｅｄへの遷移が失敗するおそれがある。ＲＲＣ＿ｃｏｎｎｅｃｔｅｄへの遷移に失敗すると、端末装置は、ＲＬＦ（Radio  Link  Failure）となる。この場合、ＲＬＦとなるまでの時間、ＲＬＦ発生からｇＮＢ再選択及び選択したｇＮＢに接続するまでの時間とを加算した時間分の通信断が発生し、結果として端末装置に対する伝送速度が低下してしまうおそれがある。そのため、ＲＲＣ＿ｉｎａｃｔｉｖｅを利用することによる再接続時間短縮や伝送速度向上の効果が小さくなってしまう。【００１３】
また、移動元基地局が、端末装置から受信したセキュリティ能力の情報を基に移動先基地局との通信に用いるセキュリティ鍵の情報を端末装置へ送信する従来技術では、ＲＲＣ＿ｉｎａｃｔｉｖｅの状態の端末に情報を伝えることは困難である。そのため、この従来技術を用いても、伝送速度を向上させることは困難である。また、配信された対応セキュリティアルゴリズムのリストを基にセキュリティアルゴリズムを選択する従来技術では、セキュアな情報を通知することになりＲＲＣ＿ｉｎａｃｔｉｖｅの状態の端末に情報を伝えることは困難である。そのため、この従来技術を用いて伝送速度を向上させることは困難である。【００１４】
開示の技術は、上記に鑑みてなされたものであって、伝送速度を向上させる端末装置、無線通信装置、無線通信システム及び無線通信方法を提供することを目的とする。
【課題を解決するための手段】
【００１５】
本願の開示する端末装置、無線通信装置、無線通信システム及び無線通信方法の一つの態様において、受信部は、端末装置のセキュリティ情報に応じた複数の基地局に関する第１の情報を無線通信装置から受信する。選択部は、前記第１の情報を基に前記複数の基地局の中から接続する基地局を選択する。送信部は、選択した前記基地局に対して無線接続を再開するための第２の情報を送信する。
【発明の効果】
【００１６】
本願の開示する端末装置、無線通信装置、無線通信システム及び無線通信方法の一つの態様によれば、伝送速度を向上させることができるという効果を奏する。
【図面の簡単な説明】
【００１７】
【図１】図１は、無線通信システムのシステム構成図である。
【図２】図２は、ＵＥのブロック図である。
【図３】図３は、端末個別セルリストの一例を表す図である。
【図４】図４は、ｇＮＢのブロック図である。
【図５】図５は、ＡＭＦのブロック図である。
【図６】図６は、端末個別セルリストのフォーマットの一例を示す図である。
【図７】図７は、ＵＥが使用可能なセキュリティアルゴリズムにページングを受信したｇＮＢが対応している場合の再接続処理のシーケンス図である。
【図８】図８は、ＵＥが使用可能暗セキュリティアルゴリズムにページングを受信したｇＮＢが対応していない場合の再接続処理のシーケンス図である。
【図９】図９は、ＵＥが使用可能なセキュリティアルゴリズムにＴＡＵの送信先のｇＮＢが対応している場合の再接続処理のシーケンス図である。
【図１０】図１０は、ＵＥが使用可能暗セキュリティアルゴリズムにＴＡＵの送信先のｇＮＢが対応していない場合の再接続処理のシーケンス図である。
【図１１】図１１は、ネットワークの構築からＵＥがＲＲＣ＿ｉｎａｃｔｉｖｅになるまでの処理のシーケンス図である。
【図１２】図１２は、ＡＭＦのハードウェア構成図である。
【図１３】図１３は、実施例２に係る無線通信システムにおけるセルリスト送信停止処理のフローチャートである。
【図１４】図１４は、端末個別セルリストに登録される情報のカスタマイズ処理の一例のフローチャートである。
【発明を実施するための形態】
【００１８】
以下に、本願の開示する端末装置、無線通信装置、無線通信システム及び無線通信方法の実施例を図面に基づいて詳細に説明する。なお、以下の実施例により本願の開示する端末装置、無線通信装置、無線通信システム及び無線通信方法が限定されるものではない。また、本明細書における課題及び実施例は一例であり、本願の権利範囲を限定するものではない。特に、記載の表現が異なっていたとしても技術的に同等であれば、異なる表現であっても本願の技術を適用可能であり、権利範囲を限定するものではない。そして、各実施の形態は、処理内容を矛盾させない範囲で適宜組み合わせることが可能である。
【００１９】
また、本明細書で使用している用語や記載した技術的内容は、３ＧＰＰなど通信に関する規格として仕様書や寄書に記載された用語や技術的内容が適宜用いられてもよい。
【実施例１】
【００２０】
図１は、無線通信システムのシステム構成図である。無線通信システム１００は、ＵＥ１、ＡＭＦ（Access  and  Mobility  Management  Function）２、ｇＮＢ３、ＳＭＦ（Session  Management  Function）４及びＵＰＦ（User  Plane  Function）５を含む。ここで、ｇＮＢ３は、複数存在する。【００２１】
ＵＥ１は、端末装置であり、ｇＮＢ３との間で無線通信によるデータ伝送を行う。例えば、ＵＥ１は、ｇＮＢ３を介して、ＡＭＦ２からトラッキングエリアの情報を取得する。次に、ＵＥ１は、トラッキングエリアに含まれるセルの中から接続するセルを選択し、そのセルを形成するｇＮＢ３に接続する。その後、ＵＥ１は、接続したｇＮＢ３を介して他のＵＥ１と通信を行う。このＵＥ１が通信可能な状態が、ＲＲＣ＿ｃｏｎｎｅｃｔｅｄと呼ばれる状態である。また、ＵＥ１は、周期的にＴＡＵを実行してトラッキングエリアを更新する。【００２２】
また、ＵＥ１は、Ｉｎａｃｔｉｖｅ  Ｔｉｍｅｒやデータ通信頻度が所定の条件を満たした場合に、ＲＲＣ＿ｃｏｎｎｅｃｔｅｄからＲＲＣ＿ｉｎａｃｔｉｖｅに状態が遷移する。ＲＲＣ＿ｉｎａｃｔｉｖｅに遷移した場合、ＵＥ１とｇＮＢ３との間の無線層の接続は切れるが、上位層は接続したままとなる。また、最後に接続したｇＮＢ３及びＡＭＦ２は、ＵＥ１のＡＳコンテキストを保持する。ＡＳコンテキストには、セキュリティアルゴリズムを含むセキュリティ等のＡＳ情報が含まれる。【００２３】
ＵＥ１は、位置登録情報（位置情報と記載しても良い）を送信し位置登録エリアであるＲＡＮエリアをｇＮＢ３を介してＡＭＦ２から受信する。ＵＥ１は、周期的にＲＡＵを実行してＲＡＮエリアの更新を行う。ＵＥ１は、ＡＭＦ２から送信されたＲＡＮエリアやトラッキングエリアの情報をｇＮＢ３を介して取得する。【００２４】
そして、ＲＲＣ＿ｉｎａｃｔｉｖｅからＲＲＣ＿ｃｏｎｎｅｃｔｅｄに遷移する場合、ＵＥ１は、ＲＡＮエリアに含まれるｇＮＢ３との間でランダムアクセス、無線同期の確立及びＲＲＣコンフィグなどを実行して無線層を再接続することで通信を確立する。この、ＲＲＣ＿ｉｎａｃｔｉｖｅからＲＲＣ＿ｃｏｎｎｅｃｔｅｄに遷移する際の接続処理については後で詳細に説明する。【００２５】
ＡＭＦ２は、Ｃ（control）−Ｐｌａｎｅにおけるモビリティ管理を実行する無線通信置である。ＡＭＦ２は、ＵＥ１の位置登録情報の登録や制御を実行する。例えば、ＡＭＦ２は、ＴＡＵによりＵＥ１から送信された位置情報を用いてＵＥ１のトラッキングエリアを更新する。また、ＡＭＦ２は、ＲＡＵによりＵＥ１から送信された位置登録情報を用いてＵＥ１のＲＡＮエリアを更新する。【００２６】
また、ＡＭＦ２は、発着信の制御を行う。また、ＡＭＦ２は、ＵＥ１及びｇＮＢ３のセキュリティ情報を管理する。さらに、ＡＭＦ２は、ＵＥ１からＴＡＵを受信した場合、ＵＥ１の位置情報に応じたトラッキングエリアの情報をｇＮＢ３を介してＵＥ１へ送信する。また、ＡＭＦ２は、ＵＥ１からＲＡＵを受信した場合、ＵＥ１の位置登録情報に応じたＲＡＮエリアの情報をｇＮＢ３を介してＵＥ１へ送信する。【００２７】
ｇＮＢ３は、５Ｇ無線を提供する無線基地局である。ｇＮＢ３は、ＵＥ１との間で無線通信よるデータ転送を実行する。また、ｇＮＢ３は、ＡＭＦ２から送信されたＲＡＮエリアやトラッキングエリアの情報をＵＥ１へ送信する。【００２８】
ＳＭＦ４は、Ｃ−Ｐｌａｎｅにおけるセッション管理を実行する通信制御装置である。ＳＭＦ４は、無線通信におけるセッションの設定及び解放の制御を行う。【００２９】
ＵＰＦ５は、Ｕ（User）−Ｐｌａｎｅにおける通信制御を行う。ＵＰＦ５は、無線通信ネットワークとデータネットワークとの間のデータパケットを処理する。【００３０】
次に、ＵＥ１、ｇＮＢ３及びＡＭＦ２のそれぞれの機能について詳細に説明する。図２は、ＵＥのブロック図である。【００３１】
図２に示すように、ＵＥ１は、ＲＲＣ処理部１１、ＰＤＣＰ（Packet  Data  Convergence  Protocol）処理部１２、ＲＬＣ（Radio  Link  Control）処理部１３、ＭＡＣ（Media  Access  Control）処理部１４及びＰＨＹ（Physical）処理部１５を有する。さらに、ＵＥ１は、通信制御部１６を有する。本実施例では、ページング時（呼び出し時又は着信通知時）及びトラッキングエリアの更新時に各ｇＮＢ３が使用可能なセキュリティアルゴリズムを把握するための端末個別セルリストがＵＥ１に送られる場合で説明する。ただし、トラッキングエリアの更新時の代わりにＲＡＮエリアの更新時に端末個別セルリストがＵＥ１に送られてもよい。【００３２】
ＲＲＣ処理部１１は、システム報知情報配信、ページング配信、ＮＡＳ（Non  Access  Stratum）メッセージ配信、ＲＲＣコネクション管理、無線セキュリティ設定及びハンドオーバ制御などのＲＲＣ層における処理を実行する。また、ＲＲＣ処理部１１は、周期的に位置登録要求をＡＭＦ２へ送信する。位置登録要求は、例えば、トラッキングエリアの更新であるＴＡＵや、ＲＡＮエリアの更新であるＲＡＵである。さらに、ＲＲＣ処理部１１は、セル選択制御部１１１及びセキュリティ情報管理部１１２を有する。【００３３】
セル選択制御部１１１は、ページング時又はＴＡＵ時にトラッキングエリアを表すトラッキングエリアコードを取得する。そしてセル選択制御部１１１は、トラッキングエリアコードに含まれるシステム情報（又はシステム制御情報）であるＳＩＢ（System  Information  Block）の中から端末個別セルリストを取得する。【００３４】
図３は、端末個別セルリストの一例を表す図である。端末個別セルリスト２０１は、セキュリティアルゴリズムとしてアルゴリズムＡが使用可能なｇＮＢ３が登録されたリストである。例えば、セル選択制御部１１１は、端末個別セルリスト２０１からアルゴリズムＡが使用可能なｇＮＢ３を特定できる。ここでは、セル選択制御部１１１は、セルＩＤ＃３を有するｇＮＢ３はアルゴリズムＡが使用可能であることが端末個別セルリスト２０１から確認できる。また、端末個別セルリスト２０２は、セキュリティアルゴリズムとしてアルゴリズムＢが使用可能なｇＮＢ３が登録されたリストである。例えば、セル選択制御部１１１は、端末個別セルリスト２０２からアルゴリズムＢが使用可能なｇＮＢ３を特定できる。ここでは、セル選択制御部１１１は、セルＩＤ＃１又は＃２を有するｇＮＢ３はアルゴリズムＢが使用可能であることが端末個別セルリスト２０２から確認できる。また、端末個別セルリスト２０３は、セキュリティアルゴリズムとしてアルゴリズムＡ又はＢが使用可能なｇＮＢ３が登録されたリストである。例えば、セル選択制御部１１１は、端末個別セルリスト２０３からアルゴリズムＡ又はＢが使用可能なｇＮＢ３を特定できる。ここでは、セル選択制御部１１１は、セルＩＤ＃１〜＃３を有するｇＮＢ３はアルゴリズムＡ又はＢが使用可能であることが端末個別セルリスト２０３から確認できる。以下では、端末個別セルリスト２００という。【００３５】
次に、セル選択制御部１１１は、端末個別セルリスト２００に登録されたｇＮＢ３の無線回線品質の計測をＰＨＹ処理部１５に指示する。その後、セル選択制御部１１１は、端末個別セルリスト２００に登録された各ｇＮＢ３の無線回線品質の測定結果を取得する。そして、セル選択制御部１１１は、最も無線回線品質の良いセルを選択するなど、各ｇＮＢ３の無線回線品質を用いて接続するｇＮＢ３の選択を行う。その後、セル選択制御部１１１は、選択したｇＮＢ３の情報及び端末個別セルリスト２００をセキュリティ情報管理部１１２へ出力する。このセル選択制御部１１１が、「選択部」の一例にあたる。そして、端末個別セルリスト２００が、「第１の情報」の一例にあたる。【００３６】
セキュリティ情報管理部１１２は、ＵＥ１が使用可能なセキュリティアルゴリズムの情報を含むセキュリティ情報を保持する。セキュリティ情報管理部１１２は、ＲＲＣ処理部１１が接続するｇＮＢ３へ送信するＵＥ  ｃａｐａｂｉｌｉｔｙ（端末性能情報）の中にセキュリティアルゴリズムの情報を登録する。また、セキュリティ情報管理部１１２は、データ通信用のセキュリティ鍵及びアルゴリズムを含むＡＳコンテキストを作成する。そして、セキュリティ情報管理部１１２は、接続確立時に、ＰＤＣＰ処理部１２、ＲＬＣ処理部１３、ＭＡＣ処理部１４、ＰＨＹ処理部１５及び通信制御部１６を介して、ＡＳコンテキストをＡＭＦ２へ送信する。なお、端末性能情報は、無線回線品質などの外的な要因によって変わるものではなく、端末それ自体の能力である。【００３７】
また、セキュリティ情報管理部１１２は、接続先として選択されたｇＮＢ３の情報及び端末個別セルリスト２００の入力をセル選択制御部１１１から受ける。そして、セキュリティ情報管理部１１２は、端末個別セルリスト２００を用いて接続先として選択されたｇＮＢ３がＵＥ１との通信に用いることができるセキュリティアルゴリズムを特定する。次に、セキュリティ情報管理部１１２は、接続先として選択されたｇＮＢ３との通信に用いるセキュリティアルゴリズムを決定する。その後、セキュリティ情報管理部１１２は、接続先として選択されたｇＮＢ３との通信に用いるセキュリティアルゴリズムをＰＤＣＰ処理部１２に通知する。【００３８】
また、ＲＲＣ処理部１１は、セル選択制御部１１１により接続先として選択されたｇＮＢ３へ通信の再開要求であるＲＲＣ  Ｒｅｓｕｍｅ  Ｒｅｑｕｅｓｔを送信する。その後、ＲＲＣ処理部１１は、ＲＲＣ  Ｒｅｓｕｍｅを接続先のｇＮＢ３から受信して無線層の接続を確立し、ｇＮＢ３との間の通信接続を確立する。このＲＲＣ処理部１１が、「無線接続管理部」の一例にあたる。また、Ｒｅｓｕｍｅ  Ｒｅｑｕｅｓｔが、「第２の情報」の一例にあたる。【００３９】
ＰＤＣＰ処理部１２は、ＩＰ（Internet  Protocol）パケットヘッダ圧縮、解凍、暗号化などのＰＤＣＰ層における処理を実行する。ＰＤＣＰ処理部１２は、セキュリティ制御部１２１を有する。【００４０】
セキュリティ制御部１２１は、シグナリングの完全性保証及び暗号化、並びに、暗号の解除を行う。セキュリティ制御部１２１は、セキュリティ情報管理部１１２から通知された通信に用いるセキュリティアルゴリズムの情報を取得する。そして、セキュリティ制御部１２１は、指定されたセキュリティアルゴリズムを用いて送信するデータを暗号化し且つ完全性保証を行う。また、セキュリティ制御部１２１は、ＲＬＣ処理部１３から入力されたデータに対して、指定されたセキュリティアルゴリズムを用いて暗号化を解除する。【００４１】
ＲＬＣ処理部１３は、再送制御，重複検出及び順序整列などのＲＬＣ層における処理を実行する。【００４２】
ＭＡＣ処理部１４は、無線リソース割り当て、データマッピング及び再送制御などのＭＡＣ層における処理を実行する。例えば、ＭＡＣ処理部１４は、ＲＬＣ処理部１３から入力されたデータに対して無線リソースの割り当て及びデータマッピングなどを行いＰＨＹ処理部１５へ出力する。【００４３】
ＰＨＹ処理部１５は、変調及び復調、符号化及び復号化、アンテナ多重化、並びに、品質測定などのＰＨＹ層における処理を実行する。例えば、ＰＨＹ処理部１５は、通信制御部１６から入力された信号に復調処理や復号化処理を施してＭＡＣ処理部１４へ出力する。また、ＰＨＹ処理部１５は、ＭＡＣ処理部１４から入力された信号に変調処理や符号化処理を施して通信制御部１６へ出力する。【００４４】
通信制御部１６は、ＰＨＹベースバンド信号と無線信号との変換などを行う。通信制御部１６は、接続先のｇＮＢ３に対して無線信号を送信する。また、通信制御部１６は、接続先のｇＮＢ３から無線信号を受信する。この通信制御部１６が、「受信部」の一例にあたる。また、通信制御部１６に送信部（送信機）、受信部（受信機）又は通信部（通信機）を含んでもよい。【００４５】
次に、図４を参照して、ｇＮＢ３について説明する。図４は、ｇＮＢのブロック図である。ｇＮＢ３は、ＲＲＣ処理部３１、ＰＤＣＰ処理部３２、ＲＬＣ処理部３３、ＭＡＣ処理部３４、ＰＨＹ処理部３５、通信制御部３６及びＳＤＡＰ（Service  Discovery  Adaptation  Profile）処理部３７を有する。【００４６】
ＲＲＣ処理部３１は、ＲＲＣコネクション管理、無線セキュリティ設定及びハンドオーバ制御などのＲＲＣ層における処理を実行する。ＲＲＣ処理部３１は、セキュリティ情報管理部３１１を有する。このＲＲＣ処理部３１が、「接続制御部」の一例にあたる。【００４７】
セキュリティ情報管理部１１２は、ｇＮＢ３が使用可能なセキュリティアルゴリズムの情報を含むセキュリティ情報を保持する。また、セキュリティ情報管理部１１２は、ＵＥ１がｇＮＢ３に接続した場合、接続するＵＥ１のＡＳコンテキストをＡＭＦ２から受信する。そして、セキュリティ情報管理部１１２は、接続したＵＥ１がＲＲＣ＿ｃｏｎｎｅｃｔｅｄの状態にある場合又はＲＲＣ＿ｉｎａｃｔｉｖｅに遷移した場合、ＵＥ１のＡＳコンテキストを保持する。すなわち、セキュリティ情報管理部１１２は、ＵＥ１が使用可能なセキュリティアルゴリズムの情報を含むセキュリティ情報を保持する。さらに、セキュリティ情報管理部３１１は、ＵＥ１のＡＳコンテキストに含まれるセキュリティアルゴリズムの情報を含むセキュリティ情報をセキュリティ制御部３２１へ通知する。【００４８】
また、ＲＲＣ処理部３１は、ＲＲＣ＿ｉｎａｃｔｉｖｅの状態にあるＵＥ１により自装置であるｇＮＢ３が通信の再開における接続先として選択された場合、ＲＲＣ  Ｒｅｓｕｍｅ  ＲｅｑｕｅｓｔをＵＥ１から受信する。そして、ＲＲＣ処理部３１は、ＵＥ１のＡＳコンテキストの取得要求であるＲｅｔｒｉｖｅ  ＡＳ  Ｃｏｎｔｅｘｔ  Ｒｅｑｅｓｔを、アンカーｇＮＢなどのそのＵＥ１のＡＳコンテキストを保持するｇＮＢ３へ送信する。その後、ＲＲＣ処理部３１は、取得要求を送信したｇＮＢ３からＲｅｔｒｉｖｅ  ＡＳ  Ｃｏｎｔｅｘｔ  Ｒｅｓｐｏｎｓｅを受信する。そして、ＲＲＣ処理部３１は、自装置であるｇＮＢ３が形成するセルをＵＥ１のアンカーセル又はサービングセルとして設定する。その後、ＲＲＣ処理部３１は、ＲＲＣ  ＲｅｓｕｍｅをＵＥ１へ送信する。その後、ＲＲＣ処理部３１は、ＵＥ１との間で無線層の接続を確立し、ＵＥ１との間の通信接続を確立する。【００４９】
ＰＤＣＰ処理部３２は、ＩＰパケットヘッダ圧縮、解凍、暗号化などのＰＤＣＰ層における処理を実行する。ＰＤＣＰ処理部３２は、セキュリティ制御部３２１を有する。また、ＰＤＣＰ処理部３２は、他のｇＮＢ３及びＡＭＦ２などから送信されたＩＰパケットの入力をＳＤＡＰ処理部３７から受ける。また、ＰＤＣＰ処理部３２は、他のｇＮＢ３及びＡＭＦ２などへ送信するＩＰパケットをＳＤＡＰ処理部３７へ出力する。【００５０】
セキュリティ制御部３２１は、シグナリングの完全性保証及び暗号化、並びに、暗号の解除を行う。セキュリティ制御部３２１は、セキュリティ情報管理部３１１から通知された通信に用いるセキュリティアルゴリズムの情報を取得する。そして、セキュリティ制御部３２１は、指定されたセキュリティアルゴリズムを用いてＵＥ１へ送信するデータを暗号化し且つ完全性保証を行う。また、セキュリティ制御部２２１は、ＲＬＣ処理部３３から入力されたＵＥ１からの送信データに対して、指定されたセキュリティアルゴリズムを用いて暗号化を解除する。【００５１】
ＲＬＣ処理部３３は、再送制御，重複検出及び順序整列などのＲＬＣ層における処理を実行する。【００５２】
ＭＡＣ処理部３４は、無線リソース割り当て、データマッピング及び再送制御などのＭＡＣ層における処理を実行する。例えば、ＭＡＣ処理部３４は、ＲＬＣ処理部３３から入力されたデータに対して無線リソースの割り当て及びデータマッピングなどを行いＰＨＹ処理部３５へ出力する。【００５３】
ＰＨＹ処理部３５は、変調及び復調、符号化及び復号化、並びに、アンテナ多重化などのＰＨＹ層における処理を実行する。例えば、ＰＨＹ処理部３５は、通信制御部１６から入力された信号に復調処理や復号化処理を施してＭＡＣ処理部３４へ出力する。また、ＰＨＹ処理部３５は、ＭＡＣ処理部３４から入力された信号に変調処理や符号化処理を施して通信制御部３６へ出力する。【００５４】
通信制御部３６は、ＰＨＹベースバンド信号と無線信号との変換などを行う。通信制御部３６は、接続先のＵＥ１に対して無線信号を送信する。また、通信制御部１６は、接続先のＵＥ１から無線信号を受信する。【００５５】
ＳＤＡＰ処理部３７は。ユーザデータのＱｏＳ（Quality  Of  Service）の管理を行う。例えば、ＳＤＡＰ処理部３７は、コアネットワーク６から受信したＩＰパケットの入力をＰＤＣＰ処理部３２から受ける。そして、ＳＤＡＰ処理部３７は、取得したＩＰパケットをＱｏＳに対応する無線ベアラにマッピングし、ＰＤＣＰ処理部３２へ出力する。また、ＳＤＡＰ処理部３７は、ＰＤＣＰ処理部３２から取得したＩＰパケットをＱｏＳに対応する無線ベアラにマッピングしてコアネットワーク６へ送出する。【００５６】
次に、図５を参照して、ＡＭＦ２について説明する。図５は、ＡＭＦのブロック図である。図５に示すように、ＡＭＦ２は、通信制御部２１、モビリティ制御部２２、パス制御部２３、基地局管理部２４、セルリスト管理部２５及びセキュリティ管理部２６を有する。【００５７】
通信制御部２１は、ｇＮＢ３とデータの送受信を行う。通信制御部２１は、ｇＮＢ３とモビリティ制御部２２、パス制御部２３及び基地局管理部２４との間の通信を仲介する。例えば、通信制御部２１は、パス制御部２３から送信されたページングにセルリスト管理部２５から取得したページングの宛先のＵＥ１の端末個別セルリスト２００を付加して、ｇＮＢ３へ送出する。この通信制御部２１が、「情報受信部」の一例にあたる。【００５８】
パス制御部２３は、発着信の制御を行う。例えば、パス制御部２３は、ＵＥ１のトラッキングエリア及びＲＡＮエリアの情報をモビリティ制御部２２から受信する。また、パス制御部２３は、ｇＮＢ３からのページング要求を受信する。次に、パス制御部２３は、ページングの宛先のＵＥ１への通信経路をトラッキングエリア又はＲＡＮエリアを用いて決定する。そして、パス制御部２３は、決定した通信経路のｇＮＢ３へページングを送信する。また、パス制御部２３は、ページングを行う際にセルリスト管理部２５にページングの実行を通知する。の際、パス制御部２３は、ＵＥ１が在圏するトラッキングエリアの情報をセルリスト管理部２５に通知する。【００５９】
基地局管理部２４は、ＴＡ又はＲＡ単位でセル情報を含む基地局情報を管理する。基地局管理部２４は、ネットワーク構築時に、各ｇＮＢ３に対してセル情報の通知要求であるＣｅｌｌ  Ｉｎｆｏｒｍａｔｉｏｎ  Ｒｅｑｕｅｓｔを送信する。このＣｅｌｌ  Ｉｎｆｏｒｍａｔｉｏｎ  Ｒｅｑｕｅｓｔには、各ｇＮＢ３が使用可能なセキュリティアルゴリズムの通知要求も含む。その後、基地局管理部２４は、セル情報を各ｇＮＢ３から受信する。そして、基地局管理部２４は、各ｇＮＢ３が使用可能なセキュリティアルゴリズムをセキュリティ管理部２６へ通知する。【００６０】
また、基地局管理部２４は、取得したセル情報からトラッキングエリア及びＲＡＮエリアを設定する。そして、基地局管理部２４は、セル情報とともにトラッキングエリア及びＲＡＮエリアの情報をモビリティ制御部２２へ出力する。また、基地局管理部２４は、トラッキングエリアの情報をセルリスト管理部２５へ出力する。【００６１】
モビリティ制御部２２は、ＵＥ１の位置情報の登録及び制御を実行する。具体的には、モビリティ制御部２２は、セル情報とともにトラッキングエリア及びＲＡＮエリアの情報を基地局管理部２４から受信する。また、モビリティ制御部２２は、ＵＥ１の在圏エリアの報告を定期的に受信する。そして、モビリティ制御部２２は、ＵＥ１のトラッキングエリアを特定する。また、ＵＥ１がＲＲＣ＿ｉｎａｃｔｉｖｅの場合、モビリティ制御部２２は、ＲＡＮエリアを特定する。モビリティ制御部２２は、ＵＥ１のトラッキングエリア及びＲＡＮエリアをパス制御部２３へ通知する。また、モビリティ制御部２２は、トラッキングエリアの更新をセルリスト管理部２５に通知する。この際、モビリティ制御部２２は、ＵＥ１が在圏するトラッキングエリアの情報をセルリスト管理部２５に通知する。【００６２】
セキュリティ管理部２６は、各ＵＥ１から送信された性能情報を受信する。ここで、性能情報には、各ＵＥ１が使用可能なセキュリティアルゴリズムの情報も含まれる。これを基に、セキュリティ管理部２６は、各ＵＥ１のＡＳコンテキスト情報を生成する。また、セキュリティ管理部２６は、各ｇＮＢ３が使用可能なセキュリティアルゴリズムの情報を基地局管理部２４から受信する。そして、セキュリティ管理部２６は、各ＵＥ１及び各ｇＮＢ３のそれぞれについて使用可能なセキュリティアルゴリズムの情報を記憶する。【００６３】
さらに、セキュリティ管理部２６は、ｇＮＢ３との間で接続を確立するＵＥ１の性能情報を基に各ＵＥＡＳコンテキスト情報を生成する。そして、セキュリティ管理部２６は、そのＵＥ１との間で接続を確立するｇＮＢ３へＡＳコンテキスト情報を送信して、ＡＳコンテキストの設定を行う。【００６４】
セルリスト管理部２５は、トラッキングエリアの情報の入力を基地局管理部２４から受ける。また、セルリスト管理部２５は、各ｇＮＢ３のセキュリティアルゴリズムの情報をセキュリティ管理部２６から取得する。そして、セルリスト管理部２５は、トラッキングエリア毎に、セキュリティアルゴリズムのパターン毎に端末個別セルリスト２００を生成する。本実施例では、端末個別セルリスト２００は、各セキュリティアルゴリズムについて使用することが可能なｇＮＢ３、又はセキュリティアルゴリズムを使用できることで回線設定が可能なｇＮＢ３を示すホワイトセルリストを生成する。【００６５】
ここで、端末個別セルリスト２００は、５Ｇの通信で使用されるアルゴリズムの数によってパターン化される。そのため、端末個別セルリスト２００の作成処理は、ＡＭＦ２やｇＮＢ３の処理を大きく圧迫するものではない。例えば、セキュリティアルゴリズムの数が５の場合、各セキュリティアルゴリズムについてＵＥ１が使用可能か否かの２パターンとなるので、ＵＥ１が使用可能なセキュリティアルゴリズムのパターンは２＾５−１＝３１通りとなる。すなわち、セキュリティアルゴリズムの数が５であれば、ＡＭＦ２が作成する端末個別セルリスト２００のパターンは３１通りとなる。なお、ＵＥ１は少なくとも１つのセキュリティアルゴリズムに対応するため３１通りとなる。仮にいずれのセキュリティアルゴリズムにも対応しない場合があるならば３２通りとなる。【００６６】
その後、セルリスト管理部２５は、パス制御部２３からページングの実行の通知を受けた場合、もしくは、モビリティ制御部２２からトラッキングエリアの更新の通知を受けた場合、以下の処理を実行する。セルリスト管理部２５は、ページング、トラッキングエリア又は位置登録エリアの更新の対象となるＵＥ１が使用可能なセキュリティアルゴリズムの情報をセキュリティ管理部２６から取得する。そして、セルリスト管理部２５は、そのＵＥ１が在圏するトラッキングエリア（位置登録エリア）における、そのＵＥ１が使用可能なセキュリティアルゴリズムに応じたパターンの端末個別セルリスト２００を選択し、ＵＥ１へ送信する。このセルリスト管理部２５が、「情報管理部」の一例にあたる。【００６７】
ここで、本実施例では、セルリスト管理部２５は、端末個別セルリスト２００としてホワイトセルリストを用いた。ただし、セルリスト管理部２５は、端末個別セルリスト２００として各セキュリティアルゴリズムについて対応していないｇＮＢ３、又はセキュリティアルゴリズムが対応しないことで回線設定が困難なｇＮＢ３が登録されたブラックセルリストを用いてもよい。ブラックセルリストを用いた場合、ＵＥ１は、取得した端末個別セルリスト２００に登録されたｇＮＢ３を除いたｇＮＢ３に対して無線回線品質測定を行い接続可能なｇＮＢ３を検出する。特に、トラッキングエリア又はＲＡＮエリア内で特定のアルゴリズムについて使用可能とするｇＮＢ３の数が少ない場合、ブラックセルリストを用いた方がより情報量を少なくすることができる。【００６８】
そこで、セルリスト管理部２５は、送信する端末個別セルリスト２００をホワイトセルリストにするかブラックセルリストにするかを、情報量に応じて決定してもよい。この場合、ＵＥ１は受信した端末個別セルリスト２００がホワイトセルリストかブラックセルリストかを判定することになる。そこで、セルリスト管理部２５は、図６に示すような、１ビットの識別フラグ２１２をセルＩＤ情報２１１に付加した端末個別セルリスト２００を使用することが好ましい。図６は、端末個別セルリストのフォーマットの一例を示す図である。ＵＥ１は、受信した端末個別セルリスト２００の識別フラグ２１２を確認することで、セルＩＤ情報２１１がホワイトセルリストかブラックセルリストかを判定することができる。【００６９】
また、セルリスト管理部２５は、端末個別セルリスト２００を、ページングとともに送信するもしくＵＥ１が移動した際のＴＡＵ信号の送信に使用されるｇＮＢ３へ送信する。ここで、ページングやＴＡＵ信号の送信に使用されるｇＮＢ３は、ＵＥ１が使用するセキュリティアルゴリズムに対応していないことが考えられる。そのため、本実施例では、ページング及びＴＡＵ信号の送信については、暗号化されていない又は共通的なセキュリティアルゴリズムが使用される。共通的なアルゴリズムとは、ネットワーク上で予め使用が決められたセキュリティアルゴリズムである。【００７０】
そのため、本実施例では、端末個別セルリスト２００は、暗号化されずもしくは解読が容易な暗号化を用いて送信される。この点、端末個別セルリスト２００は、セルの識別情報が記載されていればよい。また、ＵＥ１が選択するセルは、端末個別セルリスト２００の中で最も回線品質が高いものであり、第三者が容易に特定できるものではない。これらのことから、端末個別セルリスト２００は、セキュアな情報を含まないといえる。そこで、セルリスト管理部２５による端末個別セルリスト２００の送信で、暗号化せずに送信しても問題はない。【００７１】
また、一般的に、Ｃ−ｐｌａｎｅ信号とＵ−ｐｌａｎｅ信号とで使用するセキュリティアルゴリズムが同じである可能性がある。しかし、使用するセキュリティアルゴリズムがＣ−ｐｌａｎｅ信号とＵ−ｐｌａｎｅ信号とで同じであると、ＴＡＵ信号などのＣ−ｐｌａｎｅ信号を暗号化しない又は共通的なアルゴリズムを用いる場合、Ｕ−ｐｌａｎｅ信号が第三者に漏洩するおそれがある。そこで、本実施例では、Ｃ−ｐｌａｎｅ信号とＵ−ｐｌａｎｅ信号とのそれぞれで使用するセキュリティアルゴリズムを異ならせることが好ましい。【００７２】
次に、図７及び図８を参照して、ページング時に端末個別セルリスト２００を送信する場合の再接続処理の流れを説明する。図７は、ＵＥが使用可能なセキュリティアルゴリズムにページングを受信したｇＮＢが対応している場合の再接続処理のシーケンス図である。また、図８は、ＵＥが使用可能なセキュリティアルゴリズムにページングを受信したｇＮＢが対応していない場合の再接続処理のシーケンス図である。ここでは、動作主体をＵＥ１、ｇＮＢ３Ａ〜３Ｃ及びＡＭＦ２として説明する。ｇＮＢ３Ｃは、Ｃ−ｐｌａｎｅ接続における中継装置となるアンカーｇＮＢである。そして、ｇＮＢ３ＡとｇＮＢ３Ｂとのトラッキングエリア（位置登録エリア）は同一であるが、ｇＮＢ３Ｃのトラッキングエリア（位置登録エリア）は異なる。また、本実施例では、ｇＮＢ３Ａ〜３ＣのいずれもＡＭＦ２を使用するが、これも異なってもよい。【００７３】
まず、図７を参照して、ＵＥ１が使用可能なセキュリティアルゴリズムにページングを受信したｇＮＢ３Ａが対応している場合の再接続処理を説明する。ｇＮＢ３Ａ〜３Ｃは、それぞれのセル情報をＡＭＦ２に送信する。そして、ＡＭＦ２は、ｇＮＢ３Ａ〜３Ｃの各セル情報を取得する（ステップＳ１０１）。【００７４】
次に、ＵＥ１は、電源オン等によりランダムアクセスが開始され、ｇＮＢ３Ａ〜３Ｃ及びＡＭＦ２が配置されたネットワークにアタッチされる。その後、所定条件を満たすことで、ＵＥ１は、ＲＲＣ＿ｉｎａｃｔｉｖｅの状態に遷移する（ステップＳ１０２）。【００７５】
その後、ＵＥ１は、ＴＡＵ又はＲＡＵの処理を実行し、トラッキングエリア、ＲＡＮエリア又は位置登録エリアの更新を行う（ステップＳ１０３）。【００７６】
その後、ＡＭＦ２は、ＵＥ１を宛先とする下り信号を受信する（ステップＳ１０４）。【００７７】
次に、ＡＭＦ２は、ＵＥ１のＵＥコンテキストを確認する（ステップＳ１０５）。【００７８】
そして、ＡＭＦ２は、ＵＥ１が対応するセキュリティアルゴリズムを基に端末個別セルリスト２００を作成する（ステップＳ１０６）。【００７９】
次に、ＡＭＦ２は、ｇＮＢ３Ｃ及び３Ａを介してＵＥ１にページング及び端末個別セルリスト２００を送信する（ステップＳ１０７）。【００８０】
ＵＥ１は、ページングを受信する（ステップＳ１０８）。さらに、ＵＥ１は、ページングとともに端末個別セルリスト２００を受信する。【００８１】
次に、ＵＥ１は、参照信号（Reference  Signal：ＲＳ）をｇＮＢ３Ａ及び３Ｂから受信する（ステップＳ１０９及びＳ１１０）。【００８２】
また、ＵＥ１は、ｇＮＢ３Ａ及び３Ｂから同期信号を受信してｇＮＢ３Ａ及び３ＢのセルＩＤを特定する。次に、ＵＥ１は、端末個別セルリスト２００を参照し、特定したセルＩＤを用いてｇＮＢ３Ａ及び３ＢがＵＥ１が使用可能なセキュリティアルゴリズムに対応する基地局であることを確認する。そして、ＵＥ１は、ｇＮＢ３Ａ及び３Ｂの参照信号を用いて無線回線品質測定を実行する（ステップＳ１１１）。【００８３】
次に、ＵＥ１は、無線回線品質測定の結果からｇＮＢ３Ａが形成するセルと接続セルとして選択する（ステップＳ１１２）。【００８４】
そして、ＵＥ１は、ＲＲＣの再接続要求であるＲＲＣ  Ｒｅｓｕｍｅ  ＲｅｑｕｅｓｔをｇＮＢ３Ａに送信する（ステップＳ１１３）。【００８５】
ｇＮＢ３Ａは、ＲＲＣ  Ｒｅｓｕｍｅ  Ｒｅｑｕｅｓｔを受信して、ＵＥ１のＵＥコンテキスト情報の送信要求であるＲｅｔｒｉｅｖｅ  ＵＥ  Ｃｏｎｔｅｘｔ  ＲｅｑｕｅｓｔをｇＮＢ３Ｃへ送信する（ステップＳ１１４）。【００８６】
ｇＮＢ３Ｃは、Ｒｅｔｒｉｅｖｅ  ＵＥ  Ｃｏｎｔｅｘｔ  Ｒｅｑｕｅｓｔを受信して、ＵＥ１のコンテキスト情報を送信するＲｅｔｒｉｅｖｅ  ＵＥ  Ｃｏｎｔｅｘｔ  ＲｅｓｐｏｎｓｅをｇＮＢ３Ａへ送信する（ステップＳ１１５）。【００８７】
ｇＮＢ３Ａは、Ｒｅｔｒｉｅｖｅ  ＵＥ  Ｃｏｎｔｅｘｔ  Ｒｅｓｐｏｎｓｅを受信してＵＥ１のＵＥコンテキストを取得する。そして、ｇＮＢ３Ａは、ＵＥ１のアンカーセル又はサービングセルに自己か形成するセルを設定する（ステップＳ１１６）。【００８８】
そして、ｇＮＢ３Ａは、ＲＲＣ  ＲｅｓｕｍｅをＵＥ１へ送信して、無線接続を確立させて、ＵＥ１との間の通信接続を確立する（ステップＳ１１７）。【００８９】
その後、ＵＥ１とｇＮＢ３Ａとは、確立した通信接続を用いてユーザデータの伝送を行う（ステップＳ１１８）。【００９０】
次に、図８を参照して、ＵＥ１が使用可能なセキュリティアルゴリズムにページングを受信したｇＮＢ３Ａが対応していない場合の再接続処理を説明する。ｇＮＢ３Ａ〜３Ｃは、それぞれのセル情報をＡＭＦ２に送信する。そして、ＡＭＦ２は、ｇＮＢ３Ａ〜３Ｃの各セル情報を取得する（ステップＳ２０１）。【００９１】
次に、ＵＥ１は、電源オン等によりランダムアクセスが開始され、ｇＮＢ３Ａ〜３Ｃ及びＡＭＦ２が配置されたネットワークにアタッチされる。その後、所定条件を満たすことで、ＵＥ１は、ＲＲＣ＿ｉｎａｃｔｉｖｅの状態に遷移する（ステップＳ２０２）。【００９２】
その後、ＵＥ１は、ＴＡＵ又はＲＡＵの処理を実行し、トラッキングエリア、ＲＡＮエリア又は位置登録エリアの更新を行う（ステップＳ２０３）。【００９３】
その後、ＡＭＦ２は、ＵＥ１を宛先とする下り信号を受信する（ステップＳ２０４）。【００９４】
次に、ＡＭＦ２は、ＵＥ１のＵＥコンテキストを確認する（ステップＳ２０５）。【００９５】
そして、ＡＭＦ２は、ＵＥ１が対応するセキュリティアルゴリズムを基に端末個別セルリスト２００を作成する（ステップＳ２０６）。【００９６】
次に、ＡＭＦ２は、ｇＮＢ３Ｃ及び３Ａを介してＵＥ１にページング及び端末個別セルリスト２００を送信する（ステップＳ２０７）。【００９７】
ＵＥ１は、ページングを受信する（ステップＳ２０８）。さらに、ＵＥ１は、ページングとともに端末個別セルリスト２００を受信する。【００９８】
次に、ＵＥ１は、参照信号をｇＮＢ３Ａ及び３Ｂから受信する（ステップＳ２０９及びＳ２１０）。【００９９】
また、ＵＥ１は、ｇＮＢ３Ａ及び３Ｂから同期信号を受信してｇＮＢ３Ａ及び３ＢのセルＩＤを特定する。次に、ＵＥ１は、端末個別セルリスト２００を参照し、特定したセルＩＤを用いてｇＮＢ３ＢはＵＥ１が使用可能なセキュリティアルゴリズムに対応する基地局であり、ｇＮＢ３Ａは対応していないことを確認する。そして、ＵＥ１は、ｇＮＢ３Ｂの参照信号を用いて無線回線品質測定を実行する。この場合、ＵＥ１は、ｇＮＢ３Ｂの参照信号の無線回線品質測定は行わない（ステップＳ２１１）。【０１００】
次に、ＵＥ１は、無線回線品質測定の結果からｇＮＢ３Ｂが形成するセルと接続セルとして選択する（ステップＳ２１２）。【０１０１】
そして、ＵＥ１は、ＲＲＣの再接続要求であるＲＲＣ  Ｒｅｓｕｍｅ  ＲｅｑｕｅｓｔをｇＮＢ３Ｂに送信する（ステップＳ２１３）。【０１０２】
ｇＮＢ３Ｂは、ＲＲＣ  Ｒｅｓｕｍｅ  Ｒｅｑｕｅｓｔを受信して、ＵＥ１のＵＥコンテキスト情報の送信要求であるＲｅｔｒｉｅｖｅ  ＵＥ  Ｃｏｎｔｅｘｔ  ＲｅｑｕｅｓｔをｇＮＢ３Ｃへ送信する（ステップＳ２１４）。【０１０３】
ｇＮＢ３Ｃは、Ｒｅｔｒｉｅｖｅ  ＵＥ  Ｃｏｎｔｅｘｔ  Ｒｅｑｕｅｓｔを受信して、ＵＥ１のコンテキスト情報を送信するＲｅｔｒｉｅｖｅ  ＵＥ  Ｃｏｎｔｅｘｔ  ＲｅｓｐｏｎｓｅをｇＮＢ３Ｂへ送信する（ステップＳ２１５）。【０１０４】
ｇＮＢ３Ｂは、Ｒｅｔｒｉｅｖｅ  ＵＥ  Ｃｏｎｔｅｘｔ  Ｒｅｓｐｏｎｓｅを受信してＵＥ１のＵＥコンテキストを取得する。そして、ｇＮＢ３Ｂは、ＵＥ１のアンカーセル又はサービングセルに自己か形成するセルを設定する（ステップＳ２１６）。【０１０５】
そして、ｇＮＢ３Ｂは、ＲＲＣ  ＲｅｓｕｍｅをＵＥ１へ送信して、無線接続を確立させて、ＵＥ１との間の通信接続を確立する（ステップＳ２１７）。【０１０６】
その後、ＵＥ１とｇＮＢ３Ｂとは、確立した通信接続を用いてユーザデータの伝送を行う（ステップＳ２１８）。【０１０７】
次に、図９及び図１０を参照して、ＴＡＵ時に端末個別セルリスト２００を送信する場合の再接続処理の流れを説明する。図９は、ＵＥが使用可能なセキュリティアルゴリズムにＴＡＵ（位置登録エリア更新）の送信先のｇＮＢが対応している場合の再接続処理のシーケンス図である。また、図１０は、ＵＥが使用可能暗セキュリティアルゴリズムにＴＡＵの送信先のｇＮＢが対応していない場合の再接続処理のシーケンス図である。【０１０８】
まず、図９を参照して、ＵＥ１が使用可能なセキュリティアルゴリズムにＴＡＵの送信先のｇＮＢ３Ａが対応している場合の再接続処理を説明する。ｇＮＢ３Ａ〜３Ｃは、それぞれのセル情報をＡＭＦ２に送信する。そして、ＡＭＦ２は、ｇＮＢ３Ａ〜３Ｃの各セル情報を取得する（ステップＳ３０１）。【０１０９】
次に、ＵＥ１は、電源オン等によりランダムアクセスが開始され、ｇＮＢ３Ａ〜３Ｃ及びＡＭＦ２が配置されたネットワークにアタッチされる。その後、所定条件を満たすことで、ＵＥ１は、ＲＲＣ＿ｉｎａｃｔｉｖｅの状態に遷移する（ステップＳ３０２）。【０１１０】
その後、ＵＥ１は、トラッキングエリアを跨ぐ移動を実行する（ステップＳ３０３）。【０１１１】
そして、ＵＥ１は、セキュリティアルゴリズムを考慮せずにＣ−ｐｌａｎｅ信号を送受信するｇＮＢ３Ａを選択する（ステップＳ３０４）。【０１１２】
次に、ＵＥ１は、選択したｇＮＢ３Ａを介してＡＭＦ２へＴＡＵを送信する（ステップＳ３０５）。【０１１３】
ＡＭＦ２は、ＴＡＵをＵＥ１から受信する。そして、ＡＭＦ２は、ＵＥ１のトラッキングエリアを更新する。また、ＡＭＦ２は、ＵＥコンテキストを確認する（ステップＳ３０６）。【０１１４】
そして、ＡＭＦ２は、ＵＥ１が対応するセキュリティアルゴリズムを基に端末個別セルリスト２００を作成する（ステップＳ３０７）。【０１１５】
次に、ＡＭＦ２は、ｇＮＢ３Ｃ及び３Ａを介してＵＥ１にトラッキングエリア（位置登録エリア）の更新完了通知であるＴｒａｃｋｉｎｇ  Ａｒｅａ  Ｕｐｄａｔｅ  Ａｃｃｅｐｔ及び端末個別セルリスト２００を送信する（ステップＳ３０８）。【０１１６】
ＵＥ１は、Ｔｒａｃｋｉｎｇ  Ａｒｅａ  Ｕｐｄａｔｅ  Ａｃｃｅｐｔ及び端末個別セルリスト２００をＡＭＦ２から受信する。次に、ＵＥ１は、参照信号をｇＮＢ３Ａ及び３Ｂから受信する（ステップＳ３０９及びＳ３１０）。【０１１７】
また、ＵＥ１は、ｇＮＢ３Ａ及び３Ｂから同期信号を受信してｇＮＢ３Ａ及び３ＢのセルＩＤを特定する。次に、ＵＥ１は、端末個別セルリスト２００を参照し、特定したセルＩＤを用いてｇＮＢ３Ａ及び３ＢがＵＥ１が使用可能なセキュリティアルゴリズムに対応する基地局であることを確認する。そして、ＵＥ１は、ｇＮＢ３Ａ及び３Ｂの参照信号を用いて無線回線品質測定を実行する（ステップＳ３１１）。【０１１８】
次に、ＵＥ１は、無線回線品質測定の結果からｇＮＢ３Ａが形成するセルと接続セルとして選択する（ステップＳ３１２）。【０１１９】
そして、ＵＥ１は、ＲＲＣの再接続要求であるＲＲＣ  Ｒｅｓｕｍｅ  ＲｅｑｕｅｓｔをｇＮＢ３Ａに送信する（ステップＳ３１３）。【０１２０】
ｇＮＢ３Ａは、ＲＲＣ  Ｒｅｓｕｍｅ  Ｒｅｑｕｅｓｔを受信して、ＵＥ１のＵＥコンテキスト情報の送信要求であるＲｅｔｒｉｅｖｅ  ＵＥ  Ｃｏｎｔｅｘｔ  ＲｅｑｕｅｓｔをｇＮＢ３Ｃへ送信する（ステップＳ３１４）。【０１２１】
ｇＮＢ３Ｃは、Ｒｅｔｒｉｅｖｅ  ＵＥ  Ｃｏｎｔｅｘｔ  Ｒｅｑｕｅｓｔを受信して、ＵＥ１のコンテキスト情報を送信するＲｅｔｒｉｅｖｅ  ＵＥ  Ｃｏｎｔｅｘｔ  ＲｅｓｐｏｎｓｅをｇＮＢ３Ａへ送信する（ステップＳ３１５）。【０１２２】
ｇＮＢ３Ａは、Ｒｅｔｒｉｅｖｅ  ＵＥ  Ｃｏｎｔｅｘｔ  Ｒｅｓｐｏｎｓｅを受信してＵＥ１のＵＥコンテキストを取得する。そして、ｇＮＢ３Ａは、ＵＥ１のアンカーセル又はサービングセルに自己か形成するセルを設定する（ステップＳ３１６）。【０１２３】
そして、ｇＮＢ３Ａは、ＲＲＣ  ＲｅｓｕｍｅをＵＥ１へ送信して、無線接続を確立させて、ＵＥ１との間の通信接続を確立する（ステップＳ３１７）。【０１２４】
その後、ＵＥ１とｇＮＢ３Ａとは、確立した通信接続を用いてユーザデータの伝送を行う（ステップＳ３１８）。【０１２５】
次に、図１０を参照して、ＵＥ１が使用可能なセキュリティアルゴリズムにＴＡＵの送信先のｇＮＢ３Ａが対応していない場合の再接続処理を説明する。ｇＮＢ３Ａ〜３Ｃは、それぞれのセル情報をＡＭＦ２に送信する。そして、ＡＭＦ２は、ｇＮＢ３Ａ〜３Ｃの各セル情報を取得する（ステップＳ４０１）。【０１２６】
次に、ＵＥ１は、電源オン等によりランダムアクセスが開始され、ｇＮＢ３Ａ〜３Ｃ及びＡＭＦ２が配置されたネットワークにアタッチされる。その後、所定条件を満たすことで、ＵＥ１は、ＲＲＣ＿ｉｎａｃｔｉｖｅの状態に遷移する（ステップＳ４０２）。【０１２７】
その後、ＵＥ１は、トラッキングエリアを跨ぐ移動（又は異なるトラッキングエリアへの移動）を実行する（ステップＳ４０３）。【０１２８】
そして、ＵＥ１は、セキュリティアルゴリズムを考慮せずにＣ−ｐｌａｎｅ信号を送受信するｇＮＢ３Ａを選択する（ステップＳ４０４）。【０１２９】
次に、ＵＥ１は、選択したｇＮＢ３Ａを介してＡＭＦ２へＴＡＵを送信する（ステップＳ４０５）。【０１３０】
ＡＭＦ２は、ＴＡＵをＵＥ１から受信する。そして、ＡＭＦ２は、ＵＥ１のトラッキングエリアを更新する。また、ＡＭＦ２は、ＵＥコンテキストを確認する（ステップＳ４０６）。【０１３１】
そして、ＡＭＦ２は、ＵＥ１が対応するセキュリティアルゴリズムを基に端末個別セルリスト２００を作成する（ステップＳ４０７）。【０１３２】
次に、ＡＭＦ２は、ｇＮＢ３Ｃ及び３Ａを介してＵＥ１にトラッキングエリアの更新完了通知であるＴｒａｃｋｉｎｇ  Ａｒｅａ  Ｕｐｄａｔｅ  Ａｃｃｅｐｔ及び端末個別セルリスト２００を送信する（ステップＳ４０８）。【０１３３】
次に、ＵＥ１は、参照信号をｇＮＢ３Ａ及び３Ｂから受信する（ステップＳ４０９及びＳ４１０）。【０１３４】
また、ＵＥ１は、ｇＮＢ３Ａ及び３Ｂから同期信号を受信してｇＮＢ３Ａ及び３ＢのセルＩＤを特定する。次に、ＵＥ１は、端末個別セルリスト２００を参照し、特定したセルＩＤを用いてｇＮＢ３ＢはＵＥ１が使用可能なセキュリティアルゴリズムに対応する基地局であり、ｇＮＢ３Ａは対応していないことを確認する。そして、ＵＥ１は、ｇＮＢ３Ｂの参照信号を用いて無線回線品質測定を実行する。この場合、ＵＥ１は、ｇＮＢ３Ｂの参照信号の無線回線品質測定は行わない（ステップＳ４１１）。【０１３５】
次に、ＵＥ１は、無線回線品質測定の結果からｇＮＢ３Ｂが形成するセルと接続セルとして選択する（ステップＳ４１２）。【０１３６】
そして、ＵＥ１は、ＲＲＣの再接続要求であるＲＲＣ  Ｒｅｓｕｍｅ  ＲｅｑｕｅｓｔをｇＮＢ３Ｂに送信する（ステップＳ４１３）。【０１３７】
ｇＮＢ３Ｂは、ＲＲＣ  Ｒｅｓｕｍｅ  Ｒｅｑｕｅｓｔを受信して、ＵＥ１のＵＥコンテキスト情報の送信要求であるＲｅｔｒｉｅｖｅ  ＵＥ  Ｃｏｎｔｅｘｔ  ＲｅｑｕｅｓｔをｇＮＢ３Ｃへ送信する（ステップＳ４１４）。【０１３８】
ｇＮＢ３Ｃは、Ｒｅｔｒｉｅｖｅ  ＵＥ  Ｃｏｎｔｅｘｔ  Ｒｅｑｕｅｓｔを受信して、ＵＥ１のコンテキスト情報を送信するＲｅｔｒｉｅｖｅ  ＵＥ  Ｃｏｎｔｅｘｔ  ＲｅｓｐｏｎｓｅをｇＮＢ３Ｂへ送信する（ステップＳ４１５）。【０１３９】
ｇＮＢ３Ｂは、Ｒｅｔｒｉｅｖｅ  ＵＥ  Ｃｏｎｔｅｘｔ  Ｒｅｓｐｏｎｓｅを受信してＵＥ１のＵＥコンテキストを取得する。そして、ｇＮＢ３Ｂは、自身が形成するセルをＵＥ１のアンカーセル又はサービングセルに設定する（ステップＳ４１６）。【０１４０】
そして、ｇＮＢ３Ｂは、ＲＲＣ  ＲｅｓｕｍｅをＵＥ１へ送信して、無線接続を確立させて、ＵＥ１との間の通信接続を確立する（ステップＳ４１７）。【０１４１】
その後、ＵＥ１とｇＮＢ３Ｂとは、確立した通信接続を用いてユーザデータの伝送を行う（ステップＳ４１８）。【０１４２】
ここで、図１１を参照して、ネットワークの構築からＵＥ１がＲＲＣ＿ｉｎａｃｔｉｖｅになるまでの処理を詳細に説明する。図１１は、ネットワークの構築からＵＥがＲＲＣ＿ｉｎａｃｔｉｖｅになるまでの処理のシーケンス図である。【０１４３】
ＡＭＦ２は、セル情報の通知要求であるＣａｌｌ  Ｉｎｆｏｒｍａｔｉｏｎ  ＲｅｑｕｅｓｔをｇＮＢ３Ａ〜３Ｃへ送信する（ステップＳ５０１）。ここで、Ｃａｌｌ  Ｉｎｆｏｒｍａｔｉｏｎ  Ｒｅｑｕｅｓｔには、ｇＮＢ３Ａ〜３Ｃのそれぞれが使用可能なセキュリティアルゴリズムの通知要求も含まれる。【０１４４】
そして、ｇＮＢ３Ａ〜３Ｃは、各々が使用可能なセキュリティアルゴリズムの情報を含むセル情報をＡＭＦ２へ送信する（ステップＳ５０２）。【０１４５】
次に、ＡＭＦ２は、パターン毎の端末個別セルリスト２００を作成する（ステップＳ５０３）。【０１４６】
次に、ＵＥ１は、ｇＮＢ３Ａ〜３Ｃに対してランダムアクセスを実行する。そして、ＵＥ１は、ＵＥコンテキストを送信してｇＮＢ３Ａ〜３ＣにＵＥ１のＵＥコンテキストを設定する（ステップＳ５０４）。【０１４７】
次に、ＵＥ１は、ＵＥ１のセキュリティアルゴリズムを含むＵＥ性能情報をＡＭＦ２へ送信する（ステップＳ５０５）。【０１４８】
その後、ＵＥ１は、位置登録周期にしたがった位置登録タイミングが到来するとＴＡＵ又は位置情報をＡＭＦへ送信する（ステップＳ５０６）。【０１４９】
ｇＮＢ３Ｃは、ページング通知をＰａｇｉｎｇ  ｏｃｃａｔｉｏｎによりＵＥ１へ送信する（ステップＳ５０７）。【０１５０】
その後、ＡＭＦ２は、ＵＥ１のＵＥ性能情報を基に各ＵＥＡＳコンテキスト情報を生成する。そして、セキュリティ管理部２６は、ｇＮＢ３Ａ〜３Ｂの内の接続する基地局へＡＳコンテキスト情報を送信して、ＡＳコンテキストの設定を行う（ステップＳ５０８）。【０１５１】
ＵＥ１は、ＲＲＣ＿ｃｏｎｎｅｃｔｅｄへ移行する（ステップＳ５０９）。【０１５２】
その後、ＵＥ１とｇＮＢ３Ａ〜３Ｂの内の接続する基地局とは、特定の条件が満たされると、無線回線開放及びＵＥコンテキストの解放を行う（ステップＳ５１０）。【０１５３】
そして、ＵＥ１は、ＲＲＣ＿ｉｎａｃｔｉｖｅへ遷移する（ステップＳ５１１）。【０１５４】
次に、ＡＭＦ２のハードウェア構成について説明する。図１２は、ＡＭＦのハードウェア構成図である。図１２に示すように、ＡＭＦ２は、ＣＰＵ（Central  Processing  Unit）２９１、メモリ２９２、ハードディスク２９３及び通信インタフェース２９４を有する。ＣＰＵ２９１は、メモリ２９２、ハードディスク２９３及び通信インタフェース２９４とバスで接続される。ＣＰＵ２９１は、バスを介して、メモリ２９２、ハードディスク２９３及び通信インタフェース２９４と通信を行う。【０１５５】
通信インタフェース２９４は、通信制御部２１とｇＮＢ３との間の通信におけるインタフェースである。【０１５６】
ハードディスク２９３は、図５に例示した通信制御部２１、モビリティ制御部２２、パス制御部２３、基地局管理部２４、セルリスト管理部２５及びセキュリティ管理部２６の機能を実現するプログラムを含む各種プログラムを格納する。【０１５７】
ＣＰＵ２９１は、ハードディスク２９３から各種プログラムを読み出し、メモリ２９２へ展開して実行することで、通信制御部２１、モビリティ制御部２２、パス制御部２３、基地局管理部２４、セルリスト管理部２５及びセキュリティ管理部２６の機能を実現する。【０１５８】
ここで、以上の説明では、ＵＥ１は、ＴＡＵを行った際に端末個別セルリスト２００をＡＭＦ２から取得する場合で説明したが、この端末個別セルリスト２００の取得タイミングは他のタイミングでもよい。例えば、ＵＥ１がＲＡＵを行う際に端末個別セルリスト２００をＡＭＦ２から取得する構成でもよい。ＲＡＵのタイミングで端末個別セルリスト２００を取得する場合であっても、取得のタイミングが異なるだけで、ＵＥ１、ｇＮＢ３及びＡＭＦ２は上述した各処理と同様の処理を行う。【０１５９】
以上に説明したように、本実施例に係るＵＥは、接続可能なｇＮＢが使用可能なセキュリティアルゴリズムを判定する情報を取得する。そして、ＵＥは、ＲＲＣ＿ｉｎａｃｔｉｖｅの状態でｇＮＢへ再接続を行う際に、使用可能なセキュリティアルゴリズムが自装置と一致するｇＮＢの中から選択したｇＮＢと接続を確立する。これにより、ＲＲＣ＿ｉｎａｃｔｉｖｅの状態からの再接続時にセキュリティアルゴリズムの不一致による接続の失敗を回避してＲＬＦの発生を低減することができる。したがって、ＲＬＦの発生までの時間及びＲＬＦの発生からｇＮＢ再選択までの時間分の通信断の発生を低減でき、伝送速度を向上させることができる。また、ＲＲＣ＿ｉｎａｃｔｉｖｅを利用する利点を十分に生かすことが可能となる。
【実施例２】
【０１６０】
次に、実施例２について説明する。本実施例に係るＵＥ１、ｇＮＢ３及びＡＭＦ２も、それぞれ図２，４及び５で表される。本実施例に係るＵＥ１は、所定の場合にＡＭＦ２からの端末個別セルリスト２００の送信を停止させることが実施例１と異なる。以下の説明では、実施例１と同様の各部の動作については説明を省略する。【０１６１】
ＵＥ１のセキュリティ制御部１２１は、提供を受けるサービスの変更などにより使用するセキュリティアルゴリズムを変更する場合、セキュリティ情報管理部１１２から使用するセキュリティアルゴリズムの情報を取得する。そして、セキュリティ制御部１２１は、使用するセキュリティアルゴリズムを変更する場合、ｇＮＢ３介してセルリスト送信停止要求をＡＭＦ２に送信する。【０１６２】
ＡＭＦ２のセルリスト管理部２５は、ＵＥ１からセルリスト送信停止要求を受信する。その後、セルリスト管理部２５は、ＴＡＵ時の端末個別セルリスト２００のＵＥ１への送信を停止する。【０１６３】
図１３は、実施例２に係る無線通信システムにおけるセルリスト送信停止処理のフローチャートである。【０１６４】
ＵＥ１は、利用者からの指示などにより利用サービスを変更する（ステップＳ６０１）。【０１６５】
次に、ＵＥ１は、使用するセキュリティアルゴリズムを変更する（ステップＳ６０２）。【０１６６】
次に、ＵＥ１は、セルリスト送信停止要求をｇＮＢ３を介して、ＡＭＦ２へ送信する（ステップＳ６０３）。【０１６７】
ＡＭＦ２は、セルリスト送信停止要求を受信する。そして、ＡＭＦ２は、セルリスト送信停止要求の受信応答であるＡＣＫをＵＥ１へ送信する（ステップＳ６０４）。この後、ＡＭＦ２は、端末個別セルリスト２００のＵＥ１への送信を停止する。【０１６８】
以上に説明したように、本実施例に係るＵＥは、利用するサービスが変更された場合に、個別端末セルリストの受信を停止する。これにより、不要な通信を減らすことができるとともに、不一致となるセキュリティアルゴリズムの確認処理を省くことができ、伝送速度を向上させることができる。【０１６９】
（変形例）
さらに、以上の各実施例では端末個別セルリスト２００に、ＵＥ１が使用可能なセキュリティアルゴリズムに対応するｇＮＢ３の識別情報が登録されたが、これ以外にも他の情報が端末個別セルリスト２００に登録されてもよい。例えば、ＵＥ１側からの要求で端末個別セルリスト２００に登録される情報がカスタマイズされてもよい。【０１７０】
例えば、ＵＥ１のセキュリティ制御部１２１が、利用者からの指示を受けて、端末個別セルリスト２００に追加登録させる情報をＡＭＦ２に通知する。【０１７１】
ＡＭＦ２のセルリスト管理部２５は、ＵＥ１から送信された端末個別セルリスト２００に追加登録させる情報を取得する。そして、セルリスト管理部２５は、端末個別セルリスト２００の作成の際に指定された情報をＵＥ１が使用可能なセキュリティアルゴリズムに対応するｇＮＢ３の識別情報に加えて登録する。【０１７２】
図１４は、端末個別セルリストに登録される情報のカスタマイズ処理の一例のフローチャートである。ここでは、対応するセキュリティアルゴリズムの情報を追加登録する場合を例に説明する。【０１７３】
ＵＥ１は、セキュリティアルゴリズムの情報を追加するセルリストのカスタマイズ要求をｇＮＢ３を介してＡＭＦ２へ送信する（ステップＳ６１１）。【０１７４】
ＡＭＦ２は、セルリストのカスタマイズ要求を受信する。そして、ＡＭＦ２は、セルリストのカスタマイズ要求の受信応答であるＡＣＫをＵＥ１へ送信する（ステップＳ６１２）。この簿、ＡＭＦ２は、ｇＮＢ３の識別情報に加えて各ｇＮＢ３が対応するセキュリティアルゴリズムの情報を端末個別セルリスト２００に登録してＵＥ１へ送信する。
【符号の説明】
【０１７５】
１  ＵＥ
２  ＡＭＦ
３  ｇＮＢ
４  ＳＭＦ
５  ＵＰＦ
１１  ＲＲＣ処理部
１２  ＰＤＣＰ処理部
１３  ＲＬＣ処理部
１４  ＭＡＣ処理部
１５  ＰＨＹ処理部
１６  通信制御部
２１  通信制御部
２２  モビリティ制御部
２３  パス制御部
２４  基地局管理部
２５  セルリスト管理部
２６  セキュリティ管理部
３１  ＲＲＣ処理部
３２  ＰＤＣＰ処理部
３３  ＲＬＣ処理部
３４  ＭＡＣ処理部
３５  ＰＨＹ処理部
３６  通信制御部
１１１  セル選択制御部
１１２  セキュリティ情報管理部
１２１  セキュリティ制御部
１００  無線通信システム
２００〜２０３  端末個別セルリスト
３１１  セキュリティ情報管理部
３２１  セキュリティ制御部
【図１】
2020121455.tif 000003
【図２】
2020121455.tif 000004
【図３】
2020121455.tif 000005
【図４】
2020121455.tif 000006
【図５】
2020121455.tif 000007
【図６】
2020121455.tif 000008
【図７】
2020121455.tif 000009
【図８】
2020121455.tif 000010
【図９】
2020121455.tif 000011
【図１０】
2020121455.tif 000012
【図１１】
2020121455.tif 000013
【図１２】
2020121455.tif 000014
【図１３】
2020121455.tif 000015
【図１４】
2020121455.tif 000016
【国際調査報告】
2020121455.tif 000017
2020121455.tif 000018
2020121455.tif 000019
2020121455.tif 000020